(57)【要約】【課題】表示装置に接続する再生機器や該再生機器で再生されるコンテンツに応じた最適な映像／音声パラメータを、表示装置に自動的に設定できる表示システムを提供する。【解決手段】シンク機器２０は、ソース機器１０とＣＥＣライン３１を介して接続される。ソース機器１０は、シンク機器２０からシンク機器２０の映像／音声（ＡＶ）パラメータの基準値を受信するＣＥＣ Ｉ／Ｆ１１と、シンク機器２０のＡＶパラメータの基準値とソース機器１０のＡＶパラメータの設定値とに基づいてシンク機器２０に設定するためのＡＶパラメータを調整するＡＶパラメータ調整部１０２とを備え、ＣＥＣ Ｉ／Ｆ１１は、ＡＶパラメータ調整部１０２で調整したＡＶパラメータをシンク機器２０に送信する。シンク機器２０は、メモリ２０２に設定されているＡＶパラメータを、ソース機器１０で調整されたＡＶパラメータに変更する。【選択図】図２
2009027601.tif 000002
【特許請求の範囲】
【請求項１】
映像／音声信号を出力する出力機器と、
該出力機器からの映像信号を表示すると共に、音声信号を音声出力する表示装置とを備え、
前記出力機器と前記表示装置とがデジタルインタフェースを介して接続された表示システムであって、
前記出力機器は、前記表示装置から該表示装置の映像／音声パラメータの基準値を受信する受信手段と、前記表示装置の映像／音声パラメータの基準値と前記出力機器の映像／音声パラメータの設定値とに基づいて前記表示装置に設定するための映像／音声パラメータを調整する映像／音声パラメータ調整手段と、該調整した映像／音声パラメータを前記表示装置に送信する送信手段とを備え、
前記表示装置は、該表示装置に設定されている映像／音声パラメータを、前記出力機器で調整された映像／音声パラメータに変更することを特徴とする表示システム。
【請求項２】
請求項１に記載の表示システムにおいて、前記出力機器の映像／音声パラメータの設定値は、予め決められた最適設定値を含むことを特徴とする表示システム。
【請求項３】
請求項１に記載の表示システムにおいて、前記出力機器の映像／音声パラメータの設定値は、コンテンツ毎に予め決められた最適設定値を含むことを特徴とする表示システム。
【請求項４】
請求項１に記載の表示システムにおいて、前記出力機器の映像／音声パラメータの設定値は、コンテンツのジャンル毎に予め決められた最適設定値を含むことを特徴とする表示システム。
【請求項５】
請求項１乃至４のいずれか１項に記載の表示システムにおいて、前記表示装置の映像／音声パラメータの基準値は、前記表示装置の映像／音声パラメータの最大値、最小値を含むことを特徴とする表示システム。
【請求項６】
請求項５に記載の表示システムにおいて、前記映像／音声パラメータ調整手段は、前記表示装置の映像／音声パラメータの最大値と最小値で定まる範囲に、前記出力機器の映像／音声パラメータの最適設定値が含まれる場合、該最適設定値を、前記表示装置に設定する設定値とすることを特徴とする表示システム。
【請求項７】
請求項５に記載の表示システムにおいて、前記映像／音声パラメータ調整手段は、前記表示装置の映像／音声パラメータの最大値と最小値で定まる範囲に、前記出力機器の映像／音声パラメータの最適設定値が含まれない場合、該最適設定値に近い前記最大値あるいは前記最小値を、前記表示装置に設定する設定値とすることを特徴とする表示システム。
【請求項８】
請求項１乃至７のいずれか１項に記載の表示システムにおいて、前記デジタルインタフェースは、ＨＤＭＩ ＣＥＣインタフェースであることを特徴とする表示システム。
【発明の詳細な説明】
【技術分野】
【０００１】
本発明は、表示システム、より詳細には、表示装置と再生機器とがＨＤＭＩ（High Definition Multimedia Interface）等のデジタルインタフェースを介して接続された表示システムに関する。
【背景技術】
【０００２】
従来、テレビにゲーム機やＤＶＤプレーヤなどを接続する際に、接続する機器やそのコンテンツによって、ユーザがテレビの操作を行って映像や音声の設定を変更して、適切な明るさや色、音量にするために操作を行うことがある。これはユーザにとって煩わしい操作となる。
【０００３】
このような設定操作を簡単に行うために、例えば、特許文献１には、ビデオテープ上に音声ならびに映像の再生モードを示す信号を記録し、ビデオテープの再生時に、これらの信号を検出して、音声ならびに映像の再生モードを設定する技術が記載されている。
【特許文献１】特開平６−３６４５２号公報
【発明の開示】
【発明が解決しようとする課題】
【０００４】
しかしながら、上記特許文献１に記載の技術の場合、ビデオテープへの録画時の設定をビデオテープに保存して、それを読み出して自動設定している。この設定値は録画するときの状態に依存し、再生する映像や音声によって変わるわけではない。
このため、例えば映像が暗くて見にくいときは、視聴に適した設定へテレビを操作して設定する必要がある。また、設定できるのは映像モードのみであり、明るさなどの細かい設定情報については自動で設定することができない。
【０００５】
本発明は、上述のごとき実情に鑑みてなされたものであり、表示装置に接続する再生機器や該再生機器で再生されるコンテンツに応じた最適な映像／音声パラメータを、表示装置に自動的に設定できる表示システムを提供すること、を目的とする。
【課題を解決するための手段】
【０００６】
上記課題を解決するために、本発明の第１の技術手段は、映像／音声信号を出力する出力機器と、出力機器からの映像信号を表示すると共に、音声信号を音声出力する表示装置とを備え、出力機器と表示装置とがデジタルインタフェースを介して接続された表示システムであって、出力機器は、表示装置から表示装置の映像／音声パラメータの基準値を受信する受信手段と、表示装置の映像／音声パラメータの基準値と出力機器の映像／音声パラメータの設定値とに基づいて表示装置に設定するための映像／音声パラメータを調整する映像／音声パラメータ調整手段と、調整した映像／音声パラメータを表示装置に送信する送信手段とを備え、表示装置は、表示装置に設定されている映像／音声パラメータを、出力機器で調整された映像／音声パラメータに変更することを特徴としたものである。
【０００７】
第２の技術手段は、第１の技術手段において、出力機器の映像／音声パラメータの設定値は、予め決められた最適設定値を含むことを特徴としたものである。
【０００８】
第３の技術手段は、第１の技術手段において、出力機器の映像／音声パラメータの設定値は、コンテンツ毎に予め決められた最適設定値を含むことを特徴としたものである。
【０００９】
第４の技術手段は、第１の技術手段において、出力機器の映像／音声パラメータの設定値は、コンテンツのジャンル毎に予め決められた最適設定値を含むことを特徴としたものである。
【００１０】
第５の技術手段は、第１乃至第４のいずれか１の技術手段において、表示装置の映像／音声パラメータの基準値は、表示装置の映像／音声パラメータの最大値、最小値を含むことを特徴としたものである。
【００１１】
第６の技術手段は、第５の技術手段において、映像／音声パラメータ調整手段は、表示装置の映像／音声パラメータの最大値と最小値で定まる範囲に、出力機器の映像／音声パラメータの最適設定値が含まれる場合、最適設定値を、表示装置に設定する設定値とすることを特徴としたものである。
【００１２】
第７の技術手段は、第５の技術手段において、映像／音声パラメータ調整手段は、表示装置の映像／音声パラメータの最大値と最小値で定まる範囲に、出力機器の映像／音声パラメータの最適設定値が含まれない場合、最適設定値に近い最大値あるいは最小値を、表示装置に設定する設定値とすることを特徴としたものである。
【００１３】
第８の技術手段は、第１乃至第７のいずれか１の技術手段において、デジタルインタフェースは、ＨＤＭＩ ＣＥＣインタフェースであることを特徴としたものである。
【発明の効果】
【００１４】
本発明によれば、表示装置に接続する再生機器や該再生機器から出力されるコンテンツに応じた最適な映像／音声パラメータを、表示装置に自動的に設定できるため、再生機器やコンテンツ毎にユーザが設定変更の操作を行う必要がなくなり、ユーザの負担を軽減することができる。
【発明を実施するための最良の形態】
【００１５】
以下、添付図面を参照しながら、本発明の表示システムに係る好適な実施の形態について説明する。なお、本発明に係るデジタルインタフェースとして、ＨＤＭＩ ＣＥＣインタフェースを例示して説明するものとするが、ＩＥＥＥ１３９４インタフェースなどの他のデジタルインタフェースを適用してもよい。
【００１６】
図１は、本発明の表示システムにおけるＨＤＭＩ接続に係る要部構成例を示すブロック図で、本発明の出力機器に相当するソース機器１０と、本発明の表示装置に相当するシンク機器２０とがＨＤＭＩ接続されている構成を示すものである。なお、ソース機器１０は、例えばＨＤＭＩ出力端子を持つＤＶＤレコーダやＨＤＤレコーダ、ＤＶＤプレーヤ、Ｄ-ＶＨＳレコーダ、デジタルビデオカメラなどである。シンク器機器２０は、ＨＤＭＩ入力端子を持つ液晶テレビやモニタなどの表示装置である。なお、ソース機器１０とシンク機器２０との間に、ＨＤＭＩ入力端子と出力端子を持つＡＶアンプやレコーダ、プレーヤなどのリピータ機器を接続してもよい。
【００１７】
本発明に係るシンク機器２０は、ソース機器１０の動作状態を検出し、その動作状態を制御するために、ＣＥＣライン３１を介して転送されるＣＥＣメッセージが用いられる。ＣＥＣメッセージは、ＨＤＭＩ規格のＣＥＣプロトコルに基づく機器制御信号である。そして、この機器制御信号を機器間でやり取りすることにより、シンク機器２０と接続機器との間で各種の動作制御を実現する。
【００１８】
なお、ＨＤＭＩケーブルは、デジタル信号である映像・音声信号を差動方式で伝送するためのＴＭＤＳ(Transition Minimized Differential Signaling)ライン（デジタル信号ライン）３２と、機器間で共通の制御信号（ＣＥＣメッセージ）を伝送する双方向バスであるＣＥＣライン３１とを含んでいる。またこの他、ＨＤＭＩケーブルには、ＥＤＩＤ(Extended Display Identification Data)の送信やＨＤＣＰ(High-bandwidth Digital Content Protection system)認証等に利用される図示しないＤＤＣ(Display Data Channel)ラインが含まれる。
【００１９】
以下、ソース機器１０，シンク機器２０のＨＤＭＩ接続に係る要部構成について説明する。
ソース機器１０は、ＣＥＣ Ｉ／Ｆ１１、モニターマイコン１２、ホストＣＰＵ１３、ＨＤＭＩトランスミッタ１４、及び赤外線受光部１５を備えている。ＨＤＭＩトランスミッタ１４は、例えばＤＶＤなどの記録メディアに記録されている映像データと音声データとを読み出し、音声信号が映像信号のブランキング期間に挿入されたＨＤＭＩ形式のストリームに変換する。そして、変換したストリームをＴＭＤＳライン３２によってシンク機器２０へ転送する。ホストＣＰＵ１３は、ＨＤＭＩコントローラを含み、ＨＤＭＩトランスミッタ１４の動作を制御する。
【００２０】
ＣＥＣ Ｉ／Ｆ１１は、ＨＤＭＩケーブル内のＣＥＣライン３１を接続し、シンク機器２０との間でＣＥＣメッセージの双方向通信を可能とする。ＣＥＣ Ｉ／Ｆ１１の動作は、ＣＥＣコントローラを含むモニターマイコン１２により制御され、ＣＥＣメッセージによってＨＤＭＩ接続された機器を制御することができる。ＣＥＣの場合、ＨＤＭＩ接続された各機器の論理アドレス（機器の種別）と物理アドレス（機器の位置）が取得されるため、この物理アドレスを指定することで所望の機器にＣＥＣメッセージを送信することができる。
【００２１】
ホストＣＰＵ１３は装置全体を制御する。またモニターマイコン１２は低電力で動作し、常にＣＥＣライン３１から転送されてくるＣＥＣメッセージを監視する。またリモコン装置１６から赤外線受光部１５へのリモコン信号の送信の有無を監視する。また装置のスタンバイモードなどによってホストＣＰＵ１３の動作が停止しているときも、モニターマイコン１２は動作している（少なくともＣＥＣメッセージの転送が可能な状態で動作する）。
【００２２】
シンク機器２０は、ＣＥＣ Ｉ／Ｆ２１、モニターマイコン２２、ホストＣＰＵ２３、ＨＤＭＩレシーバ２４、及び赤外線受光部２５を備えている。ＨＤＭＩレシーバ２４は、ソース機器１０から転送されたストリームを受信する。またＣＥＣ Ｉ／Ｆ２１によって、ソース機器１０との間のＣＥＣライン３１が接続される。
【００２３】
ホストＣＰＵ２３は装置全体を制御する。またモニターマイコン２２は、ＣＥＣコントローラを含み、ＣＥＣライン３１から転送されてくるＣＥＣメッセージを監視する。モニターマイコン２２は、リモコン装置２６からのリモコン信号を受信する赤外線受光部２５を制御している。そして装置のスタンバイモードなどにおいてホストＣＰＵ２３の動作が停止しているときでも、モニターマイコン２２が動作し、ＣＥＣメッセージの送受信とリモコン信号の受信とが可能な状態に維持している。
【００２４】
図２は、本発明の表示システムの構成例を機能的に説明するためのブロック図である。図中、ソース機器（以下、プレーヤ）１０は、シンク機器（以下、ＴＶ）２０からＴＶ２０の映像／音声パラメータ（以下、ＡＶパラメータ）の基準値を受信する本発明の受信手段に相当するＣＥＣ Ｉ／Ｆ１１と、ＣＥＣ Ｉ／Ｆ１１で受信したＴＶ２０のＡＶパラメータの基準値やプレーヤ１０のＡＶパラメータの設定値等を記憶するＥＥＰＲＯＭなどのメモリ１０１と、ＴＶ２０のＡＶパラメータの基準値とプレーヤ１０のＡＶパラメータの設定値とに基づいてＴＶ２０に設定するためのＡＶパラメータを調整する本発明の映像／音声パラメータ調整手段に相当するＡＶパラメータ調整部１０２とを備える。またＣＥＣ Ｉ／Ｆ１１は、本発明の送信手段に相当し、ＡＶパラメータ調整部１０２で調整したＡＶパラメータをＴＶ２０に送信する。
【００２５】
なお、ＡＶパラメータとは、映像／音声に係る各種設定を行うためのパラメータであり、映像の場合には明るさや色合いなどであり、音声の場合には音量や音声モード（ステレオ／モノラル等）などである。ＡＶパラメータの詳細例については後述の図４〜図６に示す。
【００２６】
ＴＶ２０は、ＣＥＣ Ｉ／Ｆ２１，ＡＶパラメータ設定部２０１，及びメモリ２０２を備える。ＣＥＣ Ｉ／Ｆ２１は、ＴＶ２０のＡＶパラメータの基準値をメモリ２０２から読み出してプレーヤ１０へ送信し、また、プレーヤ１０で調整されたＡＶパラメータを受信する。メモリ２０２は、ＴＶ２０のＡＶパラメータの基準値やプレーヤ１０で調整されたＡＶパラメータ等を記憶するＥＥＰＲＯＭなどで構成される。ＡＶパラメータ設定部２０１は、メモリ２０２に設定されているＡＶパラメータを、プレーヤ１０で調整されたＡＶパラメータに変更する。
【００２７】
プレーヤ１０のＡＶパラメータの設定値は、例えば、プレーヤ１０のＡＶパラメータの最大値、最小値、及び予め決められた最適設定値を含む。この最適設定値としては、メーカ設定値をそのまま使用してもよく、あるいは、プレーヤ１０のＯＳＤメニューからユーザ設定できるようにしてもよい。またＴＶ２０のＡＶパラメータの基準値は、ＴＶ２０のＡＶパラメータの最大値、最小値、及び現在設定値を含む。
【００２８】
プレーヤ１０のＡＶパラメータ調整部１０２は、ＴＶ２０のＡＶパラメータの基準値とプレーヤ１０のＡＶパラメータの設定値とに基づいてＴＶ２０に設定するためのＡＶパラメータを調整する。すなわち、プレーヤ１０は、ＴＶ２０のＡＶパラメータの最大値及び最小値を超えない範囲で、ＴＶ２０に設定可能な最適設定値を決定する。
【００２９】
ＡＶパラメータ調整部１０２は、ＴＶ２０のＡＶパラメータの最大値と最小値で定まる範囲に、プレーヤ１０のＡＶパラメータの最適設定値が含まれる場合、その最適設定値を、ＴＶ２０に設定する設定値とする。
また、ＡＶパラメータ調整部１０２は、ＴＶ２０のＡＶパラメータの最大値と最小値で定まる範囲に、プレーヤ１０のＡＶパラメータの最適設定値が含まれない場合、その最適設定値に近い、ＴＶ２０のＡＶパラメータの最大値あるいは最小値を、ＴＶ２０に設定する設定値としてもよい。
【００３０】
ここで、プレーヤ１０のＡＶパラメータの設定値の別の例として、コンテンツ毎に予め決められた最適設定値を含むようにしてもよい。この場合、プレーヤ１０で再生するコンテンツに最適設定値を予め保持しておき、プレーヤ１０でコンテンツを再生する際に、コンテンツ記録メディアから最適設定値を読み出すようにしてもよい。このコンテンツ記録メディアは、プレーヤ１０がＤＶＤプレーヤであればコンテンツのＤＶＤとなり、ゲーム機であればゲームソフトの記録メディアとなる。
【００３１】
さらに別の例として、プレーヤ１０のＡＶパラメータの設定値に、コンテンツのジャンル毎に予め決められた最適設定値を含むようにしてもよい。この場合、プレーヤ１０がジャンル（例えば、映画、スポーツ、ドラマ、…等）毎に最適設定値を予め保持しておき、プレーヤ１０でコンテンツを再生する際に、再生コンテンツのジャンルを判定し、このジャンルに応じた最適設定値を読み出すようにする。なお、コンテンツのジャンル情報は、例えば、コンテンツの属性データや、録画コンテンツ（放送データ）であれば電子番組表、あるいは、ネットワークを介してコンテンツを提供するコンテンツサーバなどから取得することができる。
【００３２】
図２において、ＴＶ２０は、入力ソースがＨＤＭＩへ切り替えられた際に、ＴＶ２０のＡＶパラメータの基準値（最大値、最小値、現在設定値）をメモリ２０２から読み出してＣＥＣ Ｉ／Ｆ２１からプレーヤ１０へ送信する。
プレーヤ１０は、ＴＶ２０から送信されたＴＶ２０のＡＶパラメータの基準値をＣＥＣ Ｉ／Ｆ１１で受信すると、メモリ１０１に記憶する。
【００３３】
プレーヤ１０がＤＶＤ等に記録されたコンテンツを再生させる際に、ＡＶパラメータ調整部１０２がメモリ１０１にアクセスし、メモリ１０１からＴＶ２０のＡＶパラメータの基準値を読み出すと共に、プレーヤ１０のＡＶパラメータの設定値を読み出して、両者を比較する。ＴＶ２０のＡＶパラメータの基準値が、例えば、最大値＝１０、最小値＝０、現在設定値＝３であり、プレーヤ１０のＡＶパラメータの設定値が、例えば、最大値＝２０、最小値＝０、最適設定値＝５である場合、プレーヤ１０の最適設定値（＝５）は、ＴＶ２０の最小値以上、最大値以下であるため、設定可能な値であることがわかる。そこでＣＥＣ Ｉ／Ｆ１１は、このプレーヤ１０の最適設定値（＝５）をＣＥＣメッセージに付加してＴＶ２０へ送信する。このＣＥＣメッセージは、例えば、ＡＶパラメータをＴＶに設定するためのベンダメッセージ（すなわち、ユーザにより定義されるベンダコマンド）である。
【００３４】
また、上記において、プレーヤ１０の最適設定値が“１２”の場合、この最適設定値（＝１２）は、ＴＶ２０の最大値（＝１０）以上となるため、ＴＶ２０のＡＶパラメータの最大値と最小値で定まる範囲（１０〜０）には含まれない。従って、プレーヤ１０の最適設定値に近い、ＴＶ２０の最大値（＝１０）をＣＥＣメッセージに付加してＴＶ２０へ送信するようにしてもよい。
同様に、プレーヤ１０の最適設定値が“−５”の場合、この最適設定値（＝−５）は、ＴＶ２０の最小値（＝０）以下となるため、ＴＶ２０のＡＶパラメータの最大値と最小値で定まる範囲（１０〜０）には含まれない。従って、プレーヤ１０の最適設定値に近い、ＴＶ２０の最小値（＝０）をＣＥＣメッセージに付加してＴＶ２０へ送信するようにしてもよい。
【００３５】
また、プレーヤ１０の最適設定値が、ＴＶ２０のＡＶパラメータの最大値と最小値で定まる範囲に含まれない場合、プレーヤ１０は、プレーヤ１０の最適設定値に近い、ＴＶ２０の最大値あるいは最小値を設定するように指示するＣＥＣメッセージを、ＴＶ２０に送信するようにしてもよい。このＣＥＣメッセージにはプレーヤ１０のＡＶパラメータは付加されない。すなわち、プレーヤ１０はＴＶ２０にＣＥＣメッセージを送信してＡＶパラメータの設定指示を行い、ＴＶ２０はプレーヤ１０からの設定指示に従って、ＴＶ２０が持つＡＶパラメータの最大値あるいは最小値を設定する。
【００３６】
ＴＶ２０は、ＣＥＣ Ｉ／Ｆ２１でプレーヤ１０からの最適設定値を受信し、ＡＶパラメータ設定部２０１はプレーヤ１０の最適設定値をメモリ２０２に設定する。
ＴＶ２０は、メモリ２０２に設定されたプレーヤ１０の最適設定値に従って、プレーヤ１０で再生されたコンテンツの映像信号を表示すると共に、音声信号を音声出力する。
【００３７】
図３は、本発明の表示システムによる映像／音声パラメータ設定方法の一例を説明するためのフロー図である。まず、ＴＶ２０は、ユーザ操作により、入力が接続しているプレーヤに切り替わったかどうかを判定し（ステップＳ１）、入力が切り替わらない場合（ＮＯの場合）、ステップＳ１で入力切替の監視状態に移行する。また、ＴＶ２０は、入力が切り替わった場合（ＹＥＳの場合）、プレーヤ１０にＡＶパラメータ情報（ＡＶパラメータの基準値）を送信する（ステップＳ２）。
【００３８】
次にプレーヤ１０は、ＴＶ２０からＡＶパラメータ情報を受信したかどうかを判定し（ステップＳ３）、ＴＶ２０からＡＶパラメータ情報を受信しない場合（ＮＯの場合）、ステップＳ３でＡＶパラメータ情報受信の監視状態に移行する。また、プレーヤ１０は、ＴＶ２０からＡＶパラメータ情報を受信した場合（ＹＥＳの場合）、受信したＴＶ２０のＡＶパラメータ情報とプレーヤ１０のＡＶパラメータ情報の設定値とに基づいて、ＴＶ２０に設定するためのＡＶパラメータを調整する（ステップＳ４）。
【００３９】
次にプレーヤ１０は、プレーヤ１０に外部出力用の映像音声の設定値が存在するかどうかを判定し（ステップＳ５）、外部出力用の映像音声の設定値が存在しない場合（ＮＯの場合）、ステップＳ４で調整したＡＶパラメータをＣＥＣベンダメッセージである「ＡＶ設定コマンド」に設定する（ステップＳ７）。また、ステップＳ５において、外部出力用の映像音声の設定値が存在する場合（ＹＥＳの場合）、プレーヤ１０が持つ基準値（デフォルト値）を「ＡＶ設定コマンド」に設定する（ステップＳ６）。
そしてプレーヤ１０は、ＣＥＣラインを介してＴＶ２０に「ＡＶ設定コマンド」を送信する（ステップＳ８）。
【００４０】
次にＴＶ２０は、プレーヤ１０から「ＡＶ設定コマンド」を受信したかどうかを判定し（ステップＳ９）、「ＡＶ設定コマンド」を受信した場合（ＹＥＳの場合）、この「ＡＶ設定コマンド」に従って、映像音声を設定する（ステップＳ１０）。また、「ＡＶ設定コマンド」を受信しない場合（ＮＯの場合）、ＴＶ２０からＡＶパラメータ情報の送信後一定時間が経過したかどうかを判定する（ステップＳ１１）。
【００４１】
ＴＶ２０は、ステップＳ１１において、ＡＶパラメータ情報の送信後一定時間が経過した場合（ＹＥＳの場合）、タイムアウトによりそのまま終了する。一方、ＡＶパラメータ情報の送信後一定時間が経過しない場合（ＮＯの場合）、ステップＳ９に戻り処理を繰り返す。なお、上記ステップＳ１１においてタイムアウトにより処理を終了した場合、ＴＶ２０は、プレーヤ１０によりＡＶパラメータが設定されないため、ＴＶ２０に設定されているＡＶパラメータをそのまま用いて映像音声を設定するようにしてもよい。
【００４２】
以下の図４〜図６に示すＡＶパラメータは、ＴＶ２０に設定可能なパラメータの一例であり、これら各ＡＶパラメータに対応する最適設定値をプレーヤ１０に持たしておくことで、プレーヤ１０の最適設定値をＴＶ２０に自動設定することができる。
【００４３】
図４は、本発明に係るＴＶ２０に設定可能な映像に関するパラメータの一例を説明するための図である。図４（Ａ）の「明るさ」は、放送番組や再生ソフトなどの映像内容に合わせて、画面の明るさを調整するためのパラメータであって、最大値＝＋１６、最小値＝−１６の範囲で設定することができる。最大値に向かって明るくなり、最小値に向かって暗くなる。なお図中の[  ]内は現在設定値である（以下同様）。
図４（Ｂ）の「映像」は、映像の強弱を調整するためのパラメータであって、最大値＝＋４０、最小値＝０の範囲で設定することができる。最大値に向かって強くなり、最小値に向かって弱くなる。
図４（Ｃ）の「黒レベル」は、画面を見やすい明るさに調整するためのパラメータであって、最大値＝＋３０、最小値＝−３０の範囲で設定することができる。最大値に向かって明るくなり、最小値に向かって暗くなる。
【００４４】
図４（Ｄ）の「色の濃さ」は、映像の色の濃さを調整するためのパラメータであって、最大値＝＋３０、最小値＝−３０の範囲で設定することができる。最大値に向かって濃い色になり、最小値に向かって薄い色になる。
図４（Ｅ）の「色合い」は、肌色を調整するためのパラメータであって、最大値＝＋３０、最小値＝−３０の範囲で設定することができる。最大値に向かって肌色が緑がかり、最小値に向かって肌色が紫がかる。
図４（Ｆ）の「画質」は、画面の画質を調整するためのパラメータであって、最大値＝＋１５、最小値＝０の範囲で設定することができる。最大値に向かってくっきりとした映像となり、最小値に向かってやわらかな映像となる。
【００４５】
図５は、本発明に係るＴＶ２０に設定可能な映像に関するパラメータの他の例を説明するための図である。図５（Ａ）のＡＶパラメータは、映像にのったノイズを減らすための機能を設定するためのもので、その設定は、「しない」、「強」、「弱」の３種類から選択することができる。
図５（Ｂ）のＡＶパラメータは、動きの速い映像をくっきりと、より見やすくする機能を設定するためのもので、その設定は、「する」、「しない」から選択することができる。
図５（Ｃ）のＡＶパラメータは、映像の表示・非表示を設定するためのもので、その設定は、「する」、「しない」から選択することができる。
【００４６】
図６は、本発明に係るＴＶ２０に設定可能な音声に関するパラメータの一例を説明するための図である。図６（Ａ）の「高音」は、高音を調整するためのパラメータであって、最大値＝＋１５、最小値＝−１５の範囲で設定することができる。なお図中の[  ]内は現在設定値である（以下同様）。
図６（Ｂ）の「低音」は、低音を調整するためのパラメータであって、最大値＝＋１５、最小値＝−１５の範囲で設定することができる。
図６（Ｃ）の「バランス」は、左右のスピーカ音声のバランスを調整するためのパラメータである。
図６（Ｄ）の「ダイナミック」は、２つのスピーカでマルチチャンネルサラウンド機能を設定するためのもので、その設定は、「切」、「入」から選択することができる。
【００４７】
図４〜図６に示したＡＶパラメータ以外にも例えば、ＡＶポジション情報をＴＶ２０からプレーヤ１０へ送るようにしてもよい。これによりプレーヤ１０でゲームを再生する場合、プレーヤ１０からＴＶ２０へ、ＡＶポジション情報を含む「ＡＶ設定コマンド」のコマンド指示により自動的にＴＶ２０のＡＶポジション情報をゲームに設定することができる。このＡＶポジション情報とは、部屋の明るさや再生ソフトの映像に合わせて記憶された映像／音声の調整パラメータの一つである。
【００４８】
また、ＴＶ２０からプレーヤ１０へ送るＡＶパラメータ情報に、ＴＶ２０に接続されているＡＶアンプ等の音声再生機器が接続されていることを示す情報を含めるようにしてもよい。この場合、プレーヤ１０からの「ＡＶ設定コマンド」により、音声出力先の機器をプレーヤ１０から自動設定することができる。
【００４９】
例えば、ＴＶ２０に５．１チャンネル対応のＡＶアンプを接続しておき、ＴＶ２０からプレーヤ１０へ、音声出力先としてＡＶアンプが接続されていることを示す情報を送信する。プレーヤ１０は、コンテンツが５．１チャンネル対応であるかどうかを判定し、対応している場合、音声の出力先をＡＶアンプに指定する。すなわち、「ＡＶ設定コマンド」のパラメータの一つとして設定する。
【００５０】
以上説明したように、本発明によれば、ＨＤＭＩケーブル一本を接続するだけの簡易な構成により、再生機器や再生コンテンツに応じた最適な映像／音声パラメータをテレビに自動設定することができる。
また、各メーカで同じＣＥＣベンダメッセージを用いることにより、異なるメーカ・機器間で映像／音声パラメータの自動調整が可能となる。このため同じ再生機器を異なるメーカのテレビに接続したときに、同様の視聴状態に調整することができる。
また、テレビの入力を再生機器側に切り替えるだけの簡単な操作で自動的に映像／音声の設定が行われるため、再生機器や再生コンテンツ毎に、ユーザが設定変更操作を行わなくてすむ。
また、コンテンツに最適な映像／音声パラメータを記憶させておくことで、ユーザはコンテンツ提供者が推奨する最適な映像／音声設定でコンテンツを再生することができる。
【図面の簡単な説明】
【００５１】
【図１】本発明の表示システムにおけるＨＤＭＩ接続に係る要部構成例を示すブロック図である。
【図２】本発明の表示システムの構成例を機能的に説明するためのブロック図である。
【図３】本発明の表示システムによる映像／音声パラメータ設定方法の一例を説明するためのフロー図である。
【図４】本発明に係るＴＶに設定可能な映像に関するパラメータの一例を説明するための図である。
【図５】本発明に係るＴＶに設定可能な映像に関するパラメータの他の例を説明するための図である。
【図６】本発明に係るＴＶに設定可能な音声に関するパラメータの一例を説明するための図である。
【符号の説明】
【００５２】
１０…ソース機器（プレーヤ）、１１，２１…ＣＥＣ Ｉ／Ｆ、１２，２２…モニターマイコン、１３，２３…ホストＣＰＵ、１４…ＨＤＭＩトランスミッタ、１５，２５…赤外線受光部、１６，２６…リモコン装置、２０…シンク機器（ＴＶ）、２４…ＨＤＭＩレシーバ、１０１，２０２…メモリ、１０２…ＡＶパラメータ調整部、２０１…ＡＶパラメータ設定部、３１…ＣＥＣライン、３２…ＴＭＤＳライン。
【図１】
2009027601.tif 000003
【図２】
2009027601.tif 000004
【図３】
2009027601.tif 000005
【図４】
2009027601.tif 000006
【図５】
2009027601.tif 000007
【図６】
2009027601.tif 000008